(57)【要約】【課題】複数のテレビジョン装置における設定を容易に行うこと。【解決手段】情報比較追加手段である項目修正部１２の設定項目リスト管理部１２ｂにより、自己の設定項目を管理し、設定項目比較部１２ａにより、外部端末装置２０から受け取った転送データに含まれる設定項目と自己の設定項目とを比較し、転送データに含まれる設定項目のいずれかが自己の設定項目に含まれていなければ、その含まれていない設定項目を追加させるようにし、外部端末装置２０からの要求があると、ユーザ設定変換部１２ｃにより、自己の記憶部１３に保存されているユーザ設定を読み出し、外部端末装置２０側で記録できる形式の転送データに変換するようにした。【選択図】図１
2013135419.tif 000002
【特許請求の範囲】
【請求項１】
所定の設定情報を有するテレビジョン装置と、
該テレビジョン装置の前記設定情報を読み出し、他のテレビジョン装置へその読み出した設定情報を送信する外部端末装置とを備え、
前記テレビジョン装置は、前記外部端末装置から送信された前記設定情報と自己の設定情報とを比較し、前記設定情報に対して自己の前記設定情報に不足している情報があれば、その不足している情報を追加する情報比較追加手段を有し、
前記外部端末装置は、
読み出した前記設定情報が記憶される記憶部と、
少なくとも、前記設定情報を前記記憶部に記憶させ、他のテレビジョン装置へ前記記憶部に記憶させた前記設定情報を送信する場合は前記記憶部から前記設定情報を読み出す制御部とを有する
ことを特徴とする機器設定システム。
【請求項２】
前記情報比較追加手段は、
前記設定情報に含まれる自己の設定項目を管理する設定項目リスト管理部と、
前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させる設定項目比較部と、
前記外部端末装置からの要求があると、自己の記憶部に保存されている前記設定情報を読み出し、前記外部端末装置側で記録できる形式の転送データに変換するユーザ設定変換部とを有する
ことを特徴とする請求項１に記載の機器設定システム。
【請求項３】
所定の設定情報を有するテレビジョン装置であって、
外部端末装置から送信された前記設定情報と自己の設定情報とを比較し、前記設定情報に対して自己の前記設定情報に不足している情報があれば、その不足している情報を追加する情報比較追加手段を有する
ことを特徴とするテレビジョン装置。
【請求項４】
前記情報比較追加手段は、
前記設定情報に含まれる自己の設定項目を管理する設定項目リスト管理部と、
前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させる設定項目比較部と、
前記外部端末装置からの要求があると、自己の記憶部に保存されている前記設定情報を読み出し、前記外部端末装置側で記録できる形式の転送データに変換するユーザ設定変換部とを有する
ことを特徴とする請求項３に記載のテレビジョン装置。
【請求項５】
所定の設定情報を有するテレビジョン装置からの前記設定情報を外部端末装置によって読み出し、前記外部端末装置から他のテレビジョン装置へその読み出した設定情報を送信する機器設定方法であって、
前記テレビジョン装置の情報比較追加手段により、前記外部端末装置から送信された前記設定情報と自己の設定情報とを比較し、前記設定情報に対して自己の前記設定情報に不足している情報があれば、その不足している情報を追加し、
前記外部端末装置の制御部により、少なくとも、前記テレビジョン装置から読み出した前記設定情報を記憶部に記憶させ、他のテレビジョン装置へ前記記憶部に記憶させた前記設定情報を送信する
ことを特徴とする機器設定方法。
【請求項６】
前記情報比較追加手段の設定項目リスト管理部により、前記設定情報に含まれる自己の設定項目を管理し、
前記情報比較追加手段の設定項目比較部により、前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させ、
前記情報比較追加手段のユーザ設定変換部により、前記外部端末装置からの要求があると、自己の記憶部に保存されている前記設定情報を読み出し、前記外部端末装置側で記録できる形式の転送データに変換する
ことを特徴とする請求項５に記載の機器設定方法。
【請求項７】
所定の設定情報を有するテレビジョン装置の情報設定方法であって、
情報比較追加手段により、外部端末装置から送信された前記設定情報と自己の設定情報とを比較し、前記設定情報に対して自己の前記設定情報に不足している情報があれば、その不足している情報を追加する
ことを特徴とするテレビジョン装置の情報設定方法。
【請求項８】
前記情報比較追加手段の設定項目リスト管理部により、前記設定情報に含まれる自己の設定項目を管理し、
前記情報比較追加手段の設定項目比較部により、前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させ、
前記情報比較追加手段のユーザ設定変換部により、前記外部端末装置からの要求があると、自己の記憶部に保存されている前記設定情報を読み出し、前記外部端末装置側で記録できる形式の転送データに変換する
ことを特徴とする請求項７に記載のテレビジョン装置の情報設定方法。
【発明の詳細な説明】
【技術分野】
【０００１】
本発明は、たとえば複数のテレビジョン装置における設定に適した機器設定システム、テレビジョン装置、機器設定方法及びテレビジョン装置の情報設定方法に関する。
【背景技術】
【０００２】
たとえば、ホテル等のサービス業においては、複数のテレビジョン装置を導入している。これらのテレビジョン装置での画質等の設定は、宿泊客によって行われることがあるが、全てのテレビジョン装置を一度に導入したり、一度に入れ替えたりしたときには、ホテル側でホテル側の雰囲気に応じての設定が全てのテレビジョン装置に対して行われることがある。
【０００３】
この場合、それぞれのテレビジョン装置での設定項目が同じであれば、任意のテレビジョン装置に設定されている画質調整や明るさ等の設定情報を読み出し、他のテレビジョン装置にコピーすることで、全てのテレビジョン装置の設定を同時に行えるが、設定項目が異なるテレビジョン装置に対しては任意のテレビジョン装置の設定をそのままコピーすることができない。
【０００４】
このようなテレビジョン装置に対しての設定に関するものとして、特許文献１では、携帯電話端末の利用者単位で管理された個人設定情報に基づき、各利用者にとって快適な被制御機器制御を容易に実現することができるようにした遠隔制御システムを提案している。これは、携帯電話端末に、被制御機器の制御内容を指示入力するためのキー入力手段と、指示入力された被制御機器の制御内容を示す情報に当該携帯電話端末に固有の識別情報を付加する識別情報付加手段と、被制御機器の制御内容を示す情報及び識別情報を所定の送信コードに変換して被制御機器に送信する送信手段と、を設け、携帯端末から目的の設定情報をテレビジョン装置に送信することでテレビジョン装置の操作を容易に行うことができるようにしているものである。
【０００５】
また、特許文献２では、テレビジョン装置が表示しているデータ情報を簡単な操作で携帯端末に受信させるようにしたテレビジョンシステムを提案している。これは、画像のデータ情報（以下、画像データ）のデータリストの取得が指示されると、携帯電話は、テレビに対して、データリストの取得を要求するコマンドを送信する。テレビは、コマンドの内容に基づき、画像データを検索してデータリストを生成し、携帯電話に送信する。携帯電話は、送信されたデータリストをディスプレイに表示し、ユーザによって選択された画像データを要求するコマンドをテレビに送信する。テレビは、要求された画像データをコンテナから検索し、携帯電話に送信する、というようにしたものである。
【先行技術文献】
【特許文献】
【０００６】
【特許文献１】特開２０００−３０８１６４号公報
【特許文献２】特開２００８−３１２１５９号公報
【発明の概要】
【発明が解決しようとする課題】
【０００７】
上述した特許文献１では、携帯端末から目的の設定情報をテレビジョン装置に送信することでテレビジョン装置の操作を容易に行うことができるようになっているものの、携帯端末側で目的の設定情報を選択する必要があるという問題があった。
【０００８】
上述した特許文献２では、ＴＶ番組に対応する番組表や文字や画像のデータ情報を扱っており、携帯端末からテレビジョン装置のデータ情報を吸い出せるものの、どのデータ情報を吸い出すかを選択する必要があるという問題があった。
【０００９】
この場合、任意のテレビジョン装置と他のテレビジョン装置の設定項目が異なる場合、全てのテレビジョン装置の設定項目が同じになるようにすれば、目的の設定情報を選択したり、どのデータ情報を吸い出すかを選択したりするといったような操作が不要となり、複数のテレビジョン装置における設定を容易に行うことができるものと考えられる。
【００１０】
本発明は、このような状況に鑑みてなされたものであり、複数のテレビジョン装置における設定を容易に行うことができる機器設定システム、テレビジョン装置、機器設定方法及びテレビジョン装置の情報設定方法を提供することを目的とする。
【課題を解決するための手段】
【００１１】
本発明の機器設定システムは、所定の設定情報を有するテレビジョン装置と、該テレビジョン装置の前記設定情報を読み出し、他のテレビジョン装置へその読み出した設定情報を送信する外部端末装置とを備え、前記テレビジョン装置は、前記外部端末装置から送信された前記設定情報と自己の設定情報とを比較し、前記設定情報に対して自己の前記設定情報に不足している情報があれば、その不足している情報を追加する情報比較追加手段を有し、前記外部端末装置は、読み出した前記設定情報が記憶される記憶部と、少なくとも、前記設定情報を前記記憶部に記憶させ、他のテレビジョン装置へ前記記憶部に記憶させた前記設定情報を送信する場合は前記記憶部から前記設定情報を読み出す制御部とを有することを特徴とする。
また、前記情報比較追加手段は、前記設定情報に含まれる自己の設定項目を管理する設定項目リスト管理部と、前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させる設定項目比較部と、前記外部端末装置からの要求があると、自己の記憶部に保存されている前記設定情報を読み出し、前記外部端末装置側で記録できる形式の転送データに変換するユーザ設定変換部とを有するようにすることができる。
本発明のテレビジョン装置は、所定の設定情報を有するテレビジョン装置であって、外部端末装置から送信された前記設定情報と自己の設定情報とを比較し、前記設定情報に対して自己の前記設定情報に不足している情報があれば、その不足している情報を追加する情報比較追加手段を有することを特徴とする。
また、前記情報比較追加手段は、前記設定情報に含まれる自己の設定項目を管理する設定項目リスト管理部と、前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させる設定項目比較部と、前記外部端末装置からの要求があると、自己の記憶部に保存されている前記設定情報を読み出し、前記外部端末装置側で記録できる形式の転送データに変換するユーザ設定変換部とを有するようにすることができる。
本発明の機器設定方法は、所定の設定情報を有するテレビジョン装置からの前記設定情報を外部端末装置によって読み出し、前記外部端末装置から他のテレビジョン装置へその読み出した設定情報を送信する機器設定方法であって、前記テレビジョン装置の情報比較追加手段により、前記外部端末装置から送信された前記設定情報と自己の設定情報とを比較し、前記設定情報に対して自己の前記設定情報に不足している情報があれば、その不足している情報を追加し、前記外部端末装置の制御部により、少なくとも、前記テレビジョン装置から読み出した前記設定情報を記憶部に記憶させ、他のテレビジョン装置へ前記記憶部に記憶させた前記設定情報を送信することを特徴とする。
また、前記情報比較追加手段の設定項目リスト管理部により、前記設定情報に含まれる自己の設定項目を管理し、前記情報比較追加手段の設定項目比較部により、前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させ、前記情報比較追加手段のユーザ設定変換部により、前記外部端末装置からの要求があると、自己の記憶部に保存されている前記設定情報を読み出し、前記外部端末装置側で記録できる形式の転送データに変換するようにすることができる。  本発明のテレビジョン装置の情報設定方法は、所定の設定情報を有するテレビジョン装置の情報設定方法であって、情報比較追加手段により、外部端末装置から送信された前記設定情報と自己の設定情報とを比較し、前記設定情報に対して自己の前記設定情報に不足している情報があれば、その不足している情報を追加することを特徴とする。
また、前記情報比較追加手段の設定項目リスト管理部により、前記設定情報に含まれる自己の設定項目を管理し、前記情報比較追加手段の設定項目比較部により、前記外部端末装置から受け取った前記設定情報に含まれる設定項目と自己の前記設定項目とを比較し、前記設定情報に含まれる設定項目のいずれかが自己の前記設定項目に含まれていなければ、その含まれていない設定項目を追加させ、前記情報比較追加手段のユーザ設定変換部により、前記外部端末装置からの要求があると、自己の記憶部に保存されている前記設定情報を読み出し、前記外部端末装置側で記録できる形式の転送データに変換するようにすることができる。
本発明の機器設定システム、テレビジョン装置、機器設定方法及びテレビジョン装置の情報設定方法では、所定の設定情報を有するテレビジョン装置からの設定情報を外部端末装置によって読み出し、外部端末装置から他のテレビジョン装置へその読み出した設定情報を送信すると、テレビジョン装置の情報比較追加手段により、外部端末装置から送信された設定情報と自己の設定情報とが比較され、設定情報に対して自己の前記設定情報に不足している情報があれば、その不足している情報が追加され、外部端末装置の制御部により、少なくとも、テレビジョン装置から読み出した設定情報を記憶部に記憶され、他のテレビジョン装置へ記憶部に記憶させた設定情報が送信されることから、任意のテレビジョン装置の設定情報と他のテレビジョン装置の設定情報とが同じものとされる。
【発明の効果】
【００１２】
本発明の機器設定システム、テレビジョン装置、機器設定方法及びテレビジョン装置の情報設定方法によれば、任意のテレビジョン装置の設定情報と他のテレビジョン装置の設定情報とが同じものとされるようにしたので、複数のテレビジョン装置における設定を容易に行うことができる。
【図面の簡単な説明】
【００１３】
【図１】本発明の機器設定システムの一実施形態を説明するための図である。
【図２】図１の機器設定システムの動作を説明するためのフローチャートである。
【図３】図１の機器設定システムの動作を説明するためのフローチャートである。
【図４】図１の機器設定システムにおける、ＴＶ１（旧モデル）側のユーザ設定をＴＶ２（新モデル）側にコピーする場合の動作の具体例を説明するための図である。
【図５】図１の機器設定システムにおける、ＴＶ２（新モデル）側のユーザ設定をＴＶ１（旧モデル）側にコピーする場合の動作の具体例を説明するための図である。
【図６】図１の機器設定システムにおける、本実施形態での項目修正部が設けられていない場合の動作の具体例を説明するための図である。
【発明を実施するための形態】
【００１４】
以下、本発明の実施形態の詳細について説明する。
図１は本発明の一実施形態を示す図であり、図２及び図３は図１の一実施形態の動作を説明するためのフローチャートであり、図４〜図６は図１の機器設定システムの動作の具体例を説明するための図である。
【００１５】
まず、図１に示すように、機器設定システムは、テレビジョン装置１０と外部端末装置２０とを備えている。
【００１６】
テレビジョン装置１０は、通信受信部１１、項目修正部１２、記憶部１３、通信送信部１４を有している。
【００１７】
通信受信部１１は、外部端末装置２０との間での通信を行うものであり、ユーザ設定の読み出しを要求するための信号（コマンド等）を受信したり、外部端末装置２０からのたとえば後述の転送データを受信したりする。ここで、ユーザ設定とは、テレビジョン装置１０に設定されている設定項目や設定値等を示す設定情報である。
【００１８】
項目修正部１２は、テレビジョン装置１０の画質調整等の設定に関わる設定項目を修正するものであり、設定項目比較部１２ａ、設定項目リスト管理部１２ｂ、ユーザ設定変換部１２ｃを有している。
【００１９】
設定項目比較部１２ａは、外部端末装置２０から受け取った転送データに含まれる後述の設定項目と設定項目リスト管理部１２ｂが管理している設定項目とを比較するものである。また、設定項目比較部１２ａは、その転送データに含まれる設定項目のいずれかが設定項目リスト管理部１２ｂが管理している設定項目に含まれていなければ、その含まれていない設定項目を追加させる。
【００２０】
設定項目リスト管理部１２ｂは、テレビジョン装置１０の画質調整等の設定に関わる設定項目を管理する。
【００２１】
ユーザ設定変換部１２ｃは、記憶部１３に保存されているユーザ設定を読み出し、外部端末装置２０側で記録できる形式の転送データに変換する
【００２２】
記憶部１３は、テレビジョン装置１０に設定されているユーザ設定を記憶している。通信送信部１４は、ユーザ設定変換部１２ｃによって変換された転送データを送信する。なお、テレビジョン装置１０における明るさ等の画質調整は、記憶部１３に記憶されているユーザ設定や設定項目リスト管理部１２ｂによって管理されているユーザ設定に基づき、図示しない画質等の調整を行う調整手段によって行われるようになっている。
【００２３】
外部端末装置２０は、テレビジョン装置１０との間での通信を行うものであり、たとえば携帯電話等の携帯通信端末とすることができる。また、外部端末装置２０は、通信送信部２１、通信受信部２２、記憶部２３、制御部２４を有している。
【００２４】
通信送信部２１は、ユーザ設定の読み出しを要求するための信号（コマンド等）を送信したり、テレビジョン装置１０からの受け取った後述の転送データを他のテレビジョン装置１０に送信したりする。
【００２５】
通信受信部２２は、テレビジョン装置１０からの後述の転送データを受け取る。記憶部２３は、少なくとも通信受信部２２が受け取った転送データを記憶する。
【００２６】
制御部２４は、各部の動作を制御するものであり、たとえば、通信受信部２２が受け取った転送データを記憶部２３に記憶させたり、記憶部２３に記憶させた転送データを通信送信部２１から送信させたりする制御を行う。
【００２７】
次に、機器設定システムの動作について説明する。なお、以下の説明においては、テレビジョン装置１０が２台あり、それぞれをＴＶ１、ＴＶ２とするとともに、ＴＶ１に設定されている上述したユーザ設定に含まれる設定項目を、ＴＶ２側に反映させる場合として説明する。また、それぞれのＴＶ１、ＴＶ２は、図１に示した同じ構成を有しているものとする。以下、図１の機器設定システムの動作を図２、図３のフローチャートにしたがって説明する。
【００２８】
まず、ユーザ設定をＴＶ１から読み出す（ステップＳ１）。この場合、外部端末装置２０の通信送信部２１からテレビジョン装置１０に対してのユーザ設定の読み出しを要求するための信号（コマンド等）を送信する。
【００２９】
そして、その信号がテレビジョン装置１０側の通信受信部１１によって受信されると、項目修正部１２が記憶部１３に保存されているユーザ設定を読み出し、外部端末装置２０側で記録できる形式の転送データに変換する（ステップＳ２）。
【００３０】
この変換された転送データは、テレビジョン装置１０側の通信送信部１４から外部端末装置２０側に送信される。
【００３１】
外部端末装置２０側では、通信受信部２２によってその転送データが受信されると、制御部２４により、その転送データが記憶部２３に保存される（ステップＳ３）。
【００３２】
次いで、外部端末装置２０からＴＶ２側へ転送データを送る（ステップＳ４）。この場合、制御部２４が記憶部２３に保存した転送データを読み出し、その読み出した転送データを通信送信部２１からＴＶ２側に送信する。
【００３３】
ここで、ＴＶ２側では、項目修正部１２の設定項目比較部１２ａにより、転送データと設定項目リスト管理部１２ｂで管理されている設定項目との比較が行われる（ステップＳ５）。なお、ステップＳ５での判断は、後述の図５に示すように、ＴＶ２（新モデル）側のユーザ設定をＴＶ１（旧モデル）側にコピーする場合に対応している。
【００３４】
そして、ＴＶ２の設定項目に転送データの設定項目が含まれるか、又は同じである場合は、図３のステップＳ７に進む。これに対し、ＴＶ２の設定項目に転送データの設定項目が含まれない場合は、項目修正部１２の設定項目比較部１２ａによりＴＶ２の設定項目に転送データの新項目が追加される（ステップＳ６）。
【００３５】
また、図３において、転送データとＴＶ２の設定項目との比較が行われる（ステップＳ７）。ここでは、ＴＶ２の設定項目に転送データの設定項目が含まれるか、又は同じである場合は、ステップＳ９に進むが、転送データにしかない設定項目がある場合、ユーザ設定への変換対象から外される（ステップＳ８）。すなわち、設定項目比較部１２ａによるＴＶ２の設定項目への新項目の追加は行われないことになる。なお、ステップＳ７での判断は、後述の図４に示すように、ＴＶ１（旧モデル）側のユーザ設定をＴＶ２（新モデル）側にコピーする場合に対応している。
【００３６】
そして、項目修正部１２のユーザ設定変換部１２ｃにより、転送データがユーザ設定に変換されて、ＴＶ２側に書き込まれる（ステップＳ９、Ｓ１０）。すなわち、項目修正部１２のユーザ設定変換部１２ｃにより変換された転送データが記憶部１３に書き込まれることになる。
【００３７】
次に、以上の手順における具体例について説明する。まず、図４はＴＶ１（旧モデル）側のユーザ設定をＴＶ２（新モデル）側にコピーする場合を示している。
【００３８】
この場合、まず、上述した外部端末装置２０の通信送信部２１からＴＶ１（旧モデル）に対してのユーザ設定の読み出しを要求するための信号（コマンド等）が送信される（図示省略）。
【００３９】
そして、上述した記憶部１３に記憶されているユーザ設定が読み出され、外部端末装置２０側で記録できる形式の転送データに変換されることになる。
【００４０】
ここで、上述した記憶部１３には、ａで示すようなたとえばＢａｃｋｌｉｇｈｔ（バックライト）、Ｃｏｌｏｒ（色の濃さ）、Ｔｉｎｔ（色合い）についてのユーザ設定が記憶されているものとする。これらのユーザ設定は、項目修正部１２の設定項目リスト管理部１２ｂによって管理される、たとえばｂに示すようなリストで示すことができる。そして、そのユーザ設定は、ｃで示すように、外部端末装置２０側で記録できる形式の転送データに変換されて送信される。
【００４１】
外部端末装置２０側に送信された転送データは、外部端末装置２０からＴＶ２（新モデル）側に送信される。
【００４２】
ＴＶ２（新モデル）側では、上述したように、ＴＶ２（新モデル）側の設定項目に転送データの設定項目が含まれるか、又は同じであるが判断される。ここで、項目修正部１２の設定項目リスト管理部１２ｂによって管理される、たとえばｄに示すようなリストで分かるとおり、ＴＶ２（新モデル）側の設定項目にＴＶ１（旧モデル）側の設定項目の全てが含まれているため、設定項目に転送データの新項目が追加されることなく、ｅに示すように、そのユーザ設定が記憶部１３に記憶される。
【００４３】
次に、図５はＴＶ２（新モデル）側のユーザ設定をＴＶ１（旧モデル）側にコピーする場合を示している。
【００４４】
この場合、まず、上記同様に、外部端末装置２０の通信送信部２１からＴＶ２（新モデル）に対してのユーザ設定の読み出しを要求するための信号（コマンド等）が送信される（図示省略）。
【００４５】
そして、上述した記憶部１３に記憶されているユーザ設定が読み出され、外部端末装置２０側で記録できる形式の転送データに変換されることになる。
【００４６】
ここで、上述した記憶部１３には、ａで示すようなたとえばＢａｃｋｌｉｇｈｔ、Ｃｏｌｏｒ、Ｔｉｎｔ、ＦＲＣ（フレームレートコントロール）についてのユーザ設定が記憶されているものとする。これらのユーザ設定は、項目修正部１２の設定項目リスト管理部１２ｂによって管理される、たとえばｂに示すようなリストで示すことができる。そして、そのユーザ設定は、ｃで示すように、外部端末装置２０側で記録できる形式の転送データに変換されて送信される。
【００４７】
外部端末装置２０側に送信された転送データは、外部端末装置２０からＴＶ１（旧モデル）側に送信される。
【００４８】
ＴＶ１（旧モデル）側では、上述したように、ＴＶ１（旧モデル）側の設定項目に転送データの設定項目が含まれるか、又は同じであるが判断される。ここで、項目修正部１２の設定項目リスト管理部１２ｂによって管理される、たとえばｄに示すようなリストで分かるとおり、ＴＶ１（旧モデル）側の設定項目にＦＲＣについての設定項目が含まれていないため、ｅで示すように、そのＦＲＣについての設定項目が追加されることになる。
【００４９】
この追加されたＦＲＣについての設定項目については、項目修正部１２の設定項目リスト管理部１２ｂによって管理されるが、ｆで示すように、記憶部１３にはＢａｃｋｌｉｇｈｔ、Ｃｏｌｏｒ、Ｔｉｎｔについてのユーザ設定が記憶されることになる。
【００５０】
ちなみに、本実施形態での項目修正部１２が設けられていない場合は、図６に示すようなものとなる。すなわち、上記同様に、外部端末装置２０の通信送信部２１からたとえばＴＶ１（旧モデル）に対してのユーザ設定の読み出しを要求するための信号（コマンド等）が送信されると、ａに示すように、上述した記憶部１３に記憶されているユーザ設定が読み出され、その読み出されたユーザ設定がｂに示すように、外部端末装置２０側に送信される。
【００５１】
さらに、その読み出されたユーザ設定が外部端末装置２０からＴＶ２（新モデル）側に送信され、ＴＶ２（新モデル）側でｃに示すユーザ設定と比較されるものの、設定項目が異なるので、設定できないとしたエラーが返ってくることから、設定項目の追加は不可能となる。
【００５２】
このように、本実施形態では、情報比較追加手段である項目修正部１２の設定項目リスト管理部１２ｂにより、自己の設定項目を管理し、設定項目比較部１２ａにより、外部端末装置２０から受け取った転送データに含まれる設定項目と自己の設定項目とを比較し、転送データに含まれる設定項目のいずれかが自己の設定項目に含まれていなければ、その含まれていない設定項目を追加させるようにし、外部端末装置２０からの要求があると、ユーザ設定変換部１２ｃにより、自己の記憶部１３に保存されているユーザ設定を読み出し、外部端末装置２０側で記録できる形式の転送データに変換するようにした。
【００５３】
これにより、任意のテレビジョン装置１０のユーザ設定と他のテレビジョン装置１０のユーザ設定とが同じものとされることから、複数のテレビジョン装置１０における設定を容易に行うことができる。
【００５４】
また、本実施形態では、外部端末装置２０にテレビジョン装置１０から受け取った転送データが保存されているため、外出先のテレビジョン装置１０に上述した項目修正部１２による機能が搭載されていれば、その設定項目の追加が可能となり、外出先のテレビジョン装置１０の設定を容易に行うことができる。
【００５５】
また、本実施形態では、テレビジョン装置１０の設定が初期化されたとしても、外部端末装置２０に保存されている転送データをそのテレビジョン装置１０に送信することで、設定項目の設定等を容易に行うことができる。
【００５６】
なお、本実施形態では、任意のテレビジョン装置１０の設定項目に対して不足している設定項目があれば、その不足している設定項目を追加する場合について説明したが、これに限らず、任意のテレビジョン装置１０に保存されている画像等のデータ情報を読み出し、他のテレビジョン装置１０にその読み出したデータ情報をコピーするようなことにも利用可能である。
【００５７】
また、本実施形態では、設定の対象をテレビジョン装置として説明したが、これに限らず、コンピューター等の他の機器の設定に適用してもよい。
【符号の説明】
【００５８】
１０  テレビジョン装置
１１  通信受信部
１２  項目修正部
１２ａ  設定項目比較部
１２ｂ  設定項目リスト管理部
１２ｃ  ユーザ設定変換部
１３  記憶部
１４  通信送信部
２０  外部端末装置
２１  通信送信部
２２  通信受信部
２３  記憶部
２４  制御部
【図１】
2013135419.tif 000003
【図２】
2013135419.tif 000004
【図３】
2013135419.tif 000005
【図４】
2013135419.tif 000006
【図５】
2013135419.tif 000007
【図６】
2013135419.tif 000008